(57)【要約】【課題】胴縁を外壁材の外部に配設する構成において、胴縁が熱伸縮した場合であっても、胴縁を安定して保持すること。【解決手段】長手方向にガイド部12が形成される胴縁10と、ガイド部12を長手方向に摺動可能に把持する把持部21が形成される保持部材20と、保持部材20を壁面60ａに対して固定する固定手段とを有する胴縁固定具１によって、胴縁10のガイド部12が把持部21に沿って摺動可能となるように、胴縁10が壁面60ａに対して固定され、固定手段は、保持部材20を取り付けるプレート30と、プレート30を螺合して取り付けるブラケット50と、ブラケット50を壁面60ａに固定するために開脚釘40を用いたことを特徴とする外壁構造２。【選択図】図１
2008127908.tif 000002
【特許請求の範囲】
【請求項１】
長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が壁面に対して固定され、
前記固定手段は、
前記保持部材を取り付ける板状体と、
前記板状体を螺合して取り付けるブラケットと、
前記ブラケットを壁面に固定するために開脚釘を用いたことを特徴とする外壁構造。
【請求項２】
長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が壁面に対して固定され、
前記固定手段は、前記保持部材を取り付ける板状体と、前記板状体を螺合して取り付けるブラケットと、前記ブラケットを壁面に固定するための開脚釘とから構成され、
前記ブラケットの鍔部が取り付く壁面には、前記鍔部と前記壁面とが同一平面になるように、座彫部が形成されることを特徴とする外壁構造。
【請求項３】
前記胴縁には外装材が固定されることを特徴とする請求項１又は２に記載の外壁構造。
【発明の詳細な説明】
【技術分野】
【０００１】
本発明は、建物の外壁構造に関するものである。
【背景技術】
【０００２】
従来、鉄筋コンクリート等の外壁材と、当該外壁材に埋め込まれるアンカーボルト等の金属製の固定部材は、それらの線膨張率がほぼ同じであったため、特に熱伸縮による対策はとられていなかった。
【０００３】
しかし、最近では、金属製の胴縁を、胴縁を固定する固定手段によりコンクリート等の外壁材の外部に固定する構成がある（例えば、特許文献１参照）。
【０００４】
【特許文献１】特開２００４−２５１０３１
【発明の開示】
【発明が解決しようとする課題】
【０００５】
しかしながら、前述の特許文献１のように、胴縁が外壁材の外に配設されることとなると、胴縁は外壁材よりも熱容量が小さいため、熱の影響を受けやすくなる。
【０００６】
熱伸縮の影響が現れやすい比較的大規模な建築物であっても固定方法について必ずしも外側の構造と内側の構造の熱伸縮の差が考慮されているわけではなかったことが、近年の台風により外側の構造が脱落した際に、固定手段及びその周辺が胴縁の熱伸縮により損傷していたことが発覚したことからわかった。このため、このままでは、胴縁が熱伸縮すると、外壁材がコンクリートのような硬質の材料の場合は胴縁の固定手段自体が損傷したり、外壁材がＡＬＣ（軽量気泡コンクリート）のような軟質の材料の場合は胴縁の固定手段が外壁材を傷めるおそれがある。
【０００７】
本発明は前記課題を解決するものであり、その目的とするところは、胴縁を外壁材の外部に配設する構成において、外壁材に対し容易且つ確実に胴縁を固定し、また胴縁が熱伸縮した場合であっても胴縁を安定して保持することが出来る外壁構造を提供せんとするものである。
【課題を解決するための手段】
【０００８】
前記目的を達成するための本発明に係る第１の外壁構造は、長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が壁面に対して固定され、前記固定手段は、前記保持部材を取り付ける板状体と、前記板状体を螺合して取り付けるブラケットと、前記ブラケットを壁面に固定するために開脚釘を用いたことを特徴とする。
【０００９】
本発明に係る第２の外壁構造は、長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が壁面に対して固定され、前記固定手段は、前記保持部材を取り付ける板状体と、前記板状体を螺合して取り付けるブラケットと、前記ブラケットを壁面に固定するための開脚釘とから構成され、前記ブラケットの鍔部が取り付く壁面には、前記鍔部と前記壁面とが同一平面になるように、座彫部が形成されることを特徴とする。
【００１０】
本発明に係る第３の外壁構造は、長手方向にガイド部が形成される胴縁と、前記ガイド部を長手方向に摺動可能に把持する把持部が形成される保持部材と、前記保持部材を壁面に対して固定する固定手段とを有する胴縁固定具によって、前記胴縁の前記ガイド部が前記把持部に沿って摺動可能となるように、前記胴縁が壁面に対して固定され、前記胴縁には外装材が固定されることを特徴とする。
【発明の効果】
【００１１】
第１の外壁構造によれば、開脚釘を用いることにより、開脚釘を含む固定手段が、容易に壁面に対して取り付けられる。一方、開脚釘は固定手段の抜けを防止するため、固定手段に固定される保持部材をも確実に壁面に対して固定される。よって、保持部材により保持される胴縁の抜けを防止し、確実に壁面に固定することができる。また、胴縁は保持部材の把持部にて摺動可能に構成されているため、胴縁が熱伸縮した場合であっても、胴縁のガイド部が保持部材の把持部内で摺動することにより、胴縁を安定して保持することが出来る。
【００１２】
第２の外壁構造によれば、ブラケットの鍔部と壁面とが同一平面になるため、断熱材を配設する場合には確実に断熱材を配設することができる。且つ胴縁が熱伸縮した場合であっても、胴縁を安定して保持することが出来る。
【００１３】
第３の外壁構造によれば、胴縁が熱伸縮した場合であっても、胴縁を安定して保持することが出来、胴縁に取り付けた外装材も安定して保持することができる。
【発明を実施するための最良の形態】
【００１４】
図により本発明に係る外壁構造の一実施形態を具体的に説明する。
【００１５】
〔第１実施形態〕
先ず、図１〜図３を用いて本発明に係る外壁構造の第１実施形態の構成について説明する。図１は本発明に係る外壁構造の第１実施形態の構成を示す分解斜視図、図２は本発明に係る外壁構造の第１実施形態の構成を示す断面説明図、図３は第１実施形態において、開脚釘によりブラケットを壁面に固定する様子を示す断面説明図である。
【００１６】
図１及び図２において、２は外壁構造であって、長手方向にガイド部12が形成される胴縁10と、胴縁10のガイド部12を長手方向に摺動可能に把持する把持部21が形成される保持部材20と、保持部材20を外壁材60の壁面60ａに対して固定する固定手段（板状体としてのプレート30、開脚釘40、ブラケット50）とを有する胴縁固定具１によって、胴縁10のガイド部12が把持部21に沿って摺動可能となるように胴縁10が外壁材60の壁面60ａに対して固定される。
【００１７】
胴縁10は、長手方向に、胴部11から外側方向に突出したレール状のガイド部12を有する。本実施形態は横胴縁であるため、胴部11は横方向に長く構成され、胴縁側面に配設されるガイド部12は胴部11から上下方向に突出することになる。
【００１８】
保持部材20は、胴縁10のガイド部12を上下両側面から把持するために、保持部材20の表面方向に突出する把持部21を有する。把持部21は、胴縁10のガイド部12を把持するが、ガイド部12と若干の間隙を有するように把持する。このため、胴縁10のガイド部12は、把持部21によって摺動可能に把持される。保持部材20は、ビスＳが貫通するビス穴22が形成される。また、保持部材20の中央部には、開口部23が設けられる。
【００１９】
図１及び図２に示すように、プレート30は保持部材20の裏面に当接し、ビスＳによって保持部材20を固定する。プレート30の中央には、後述するブラケット50の胴縁側固定軸51の外周面に形成されたネジ部51ａが螺合するためのネジ穴31が形成される。
【００２０】
ブラケット50は、胴縁10側に突出する胴縁側固定軸51と、これと反対方向の外壁材60側に突出する外壁側固定軸52と、胴縁側固定軸51と外壁側固定軸52との間に配設され、各軸51、52よりも径の大きい鍔部53とを有する。胴縁側固定軸51は、プレート30のネジ穴31と螺合するネジ部51ａが形成される。また、胴縁側固定軸51及び外壁側固定軸52の内部にはブラケット50の軸方向に貫通する貫通孔51ｂが形成される。
【００２１】
外壁材60は、ブラケット50の外壁側固定軸52を取り付けるための、溝61が形成されている。本実施形態の外壁材60はＡＬＣ（軽量気泡コンクリート）パネルで構成された一例であるが、外壁材60の材質は特に限定するものではない。
【００２２】
外壁材60に胴縁10を固定する場合、先ず、図３（ａ）に示すように、外壁材60の溝61に対して、モルタルや接着剤等の充填材３を充填し、溝61にブラケット50の外壁側固定軸52を挿し込む。すると、ブラケット50が外壁材60に対して位置決めされる。この状態で、開脚釘40をブラケット50の貫通孔51ｂを通して外壁材60に対して打ち込む。
【００２３】
開脚釘40をブラケット50の貫通孔51ｂを通して外壁材60に対して打ち込む場合、先ず、図３（ａ）に示すように、ブラケット50の貫通孔51ｂに開脚釘40の第１の釘体41を挿通する。すると、図３（ｂ）に示すように、第１の釘体41が外壁材60に打設される。
【００２４】
釘体41の先端部に設けられた開脚制御部41ａの外径は第２の釘体42の外径と略同じかそれよりも大きな外径を有して構成されており、釘体41と一体的に外壁材60内に打設される開脚制御部41ａにより釘体42の進路前方が予め開孔される。
【００２５】
そして、図３（ｂ）に示すように、ブラケット50の鍔部53が外壁材60に当接した状態で第１の釘体41の頭部41ｂをブラケット50の貫通孔周縁部51ｃに係止する。第１の釘体41が外壁材60内に完全に打設され、頭部41ｂの下面がブラケット50の貫通孔周縁部51ｃに係止された段階で、ブラケット50の貫通孔51ｂに、第１の釘体41に沿って第２の釘体42を挿通し、第２の釘体42の頭部42ｂを打ち込む。すると、図３（ｃ）に示すように、釘体42は釘体41により形成された開孔に沿って外壁材60内に打設される。
【００２６】
図３に示すように、開脚制御部41ａの第２の釘体42側には、第２の釘体42の先端部42ａの進行方向を変更して先端を開脚させるためのガイド面41ａ1が設けられている。そして、第２の釘体42の頭部42ｂを打ち込むと、第１の釘体41の先端部に設けられた開脚制御部41ａのガイド面41ａ1に沿って釘体42の先端部42ａが案内される。これにより、釘体42の先端部42ａの進行方向を変更して釘体42の先端を開脚させる（図２参照）。
【００２７】
そして、第２の釘体42の頭部42ｂをブラケット50の貫通孔周縁部51ｃに係止すると、ブラケット50が外壁材60に固定される。このように、開脚釘40を用いてブラケット50を固定したことで、ブラケット50は、通常の釘を用いるよりもより確実に外壁材60に固定される。
【００２８】
次に、図１に示すように、ブラケット50のネジ部51ａに対して、プレート30のネジ穴31を螺合させ、プレート30を外壁材60の方向にねじ込む。
【００２９】
一方、胴縁10は、予め保持部材20に対して組み立てて一体的にしておく。この組み立てに際しては、胴縁10の上下２つのガイド部12を、保持部材20の２つの把持部21の内部に摺動させる。これにより、胴縁10が保持部材20に把持されて、胴縁10と保持部材20とは一体的になる。
【００３０】
次に、プレート30上に保持部材20のビス穴22がくるように、保持部材20を配置し、この状態で保持部材20のビス穴22に対してビスＳを打ち込む。これにより胴縁10がプレート30に対して固定される。
【００３１】
以上のような手順をとることにより、胴縁10と、保持部材20と、固定手段（プレート30、開脚釘40、ブラケット50）とを有する胴縁固定具１によって、胴縁10のガイド部12が保持部材20の把持部21に沿って摺動可能となるように、胴縁10が外壁材60の壁面60ａに対して固定される。
【００３２】
上記のように保持部材20により長手方向に摺動可能に固定された胴縁10には、外装材９がビスＳを用いて取り付けられる。
【００３３】
以上のように、外壁構造２によれば、胴縁10のガイド部12と保持部材20の把持部21との間が摺動可能に構成されているため、外壁材60の外部に配設する胴縁10が熱伸縮した場合であっても、保持部材20や固定手段に影響はなく、胴縁10を安定して保持することが出来る。この結果、胴縁10に固定される外装材９をも安定して支持することが出来る。
【００３４】
〔第２実施形態〕
次に、図４を用いて本発明に係る外壁構造の第２実施形態の構成について説明する。図４（ａ）は本発明に係る外壁構造の第２実施形態の構成を示す分解斜視図、図４（ｂ）は本発明に係る外壁構造の第２実施形態の構成の要部を示す断面説明図である。尚、第１実施形態と同様に構成したものは同一の符号を付して説明を省略する。
【００３５】
本実施形態の胴縁固定具１も第１実施形態と同様に胴縁10と、胴縁10を保持する保持部材20と、保持部材20を固定する固定手段（プレート30、開脚釘40、ブラケット50）とを有して構成され、これらにより、外壁材60に断熱材70を取り付け、且つ外壁材60に胴縁10を固定したものである。
【００３６】
断熱材70は、ブラケット50の鍔部53とプレート30との間に挟持して配設され、断熱材70には、ブラケット50の胴縁側固定軸51が貫通する貫通穴71が形成される。
【００３７】
外壁材60の壁面60ａには溝61に連続してブラケット50の鍔部53の大きさに対応する座彫部62が形成されており、座彫部62にブラケット50の鍔部53を嵌入する。これにより、外壁材60の壁面60ａと断熱材70の表面とが同一面上になり、段差なく当接することが出来る。
【００３８】
そして、第１実施形態と同様にして開脚釘40によりブラケット50を外壁材60の壁面60ａに固定した後、断熱材70に形成される貫通穴71を、ブラケット50の胴縁側固定軸51が突出するように、断熱材70をブラケット50に対して嵌め込む。これにより、図４（ｂ）に示すように、断熱材70の貫通穴71からブラケット50のネジ部51ａが突出した状態になる。
【００３９】
次に、ブラケット50のネジ部51ａに対して、プレート30のネジ穴31を螺合させ、プレート30を断熱材70の方向にねじ込む。すると、プレート30がブラケット50のネジ部51ａに螺合され、プレート30は、断熱材70をブラケット50の鍔部53との間で挟みこんで固定される。他の構成は第１実施形態と同様に構成され、同様の効果を得ることが出来るものである。
【産業上の利用可能性】
【００４０】
本発明の活用例として、胴縁を様々な建造物の外壁構成に適用出来る。
【図面の簡単な説明】
【００４１】
【図１】本発明に係る外壁構造の第１実施形態の構成を示す分解斜視図である。
【図２】本発明に係る外壁構造の第１実施形態の構成を示す断面説明図である。
【図３】第１実施形態において、開脚釘によりブラケットを壁面に固定する様子を示す断面説明図である。
【図４】本発明に係る外壁構造の第２実施形態の構成を示す分解斜視図と要部断面説明図である。
【符号の説明】
【００４２】
Ｓ…ビス、１…胴縁固定具、２…外壁構造、３…充填材、９…外装材、10…胴縁、11…胴部、12…ガイド部、20…保持部材、21…把持部、22…ビス穴、23…開口部、30…プレート、31…ネジ穴、40…開脚釘、41…第１の釘体、41ａ…開脚制御部、41ａ1…ガイド面、41ｂ…頭部、42…第２の釘体、42ａ…先端部、42ｂ…頭部、50…ブラケット、51…胴縁側固定軸、51ａ…ネジ部、51ｂ…貫通孔、51ｃ…貫通孔周縁部、52…外壁側固定軸、53…鍔部、60…外壁材、60ａ…壁面、61…溝、62…座彫部、70…断熱材、71…貫通穴
【図１】
2008127908.tif 000003
【図２】
2008127908.tif 000004
【図３】
2008127908.tif 000005
【図４】
2008127908.tif 000006